【事件の表示】
　特願２００５−１７３４３７「メディカル・オートフィットネス装置」拒絶査定不服審判事件〔平成１８年１２月２８日出願公開，特開２００６−３４５９７３〕について，次のとおり審決する。
【結　論】
　本件審判の請求は，成り立たない。
【理　由】
１　本願の手続経緯
　本願は，平成１７年６月１４日の特許出願であって，平成１９年１０月３日付けで拒絶査定がなされ，これに対し，平成１９年１１月１日に拒絶査定不服審判の請求がなされた後，当審において，平成２１年２月１８日付けで拒絶理由通知がなされ，その応答期間中の平成２１年３月５日付けで手続補正がなされたものである。
　
２　本願発明
　本願の請求項１〜２に係る発明は，平成２１年３月５日付けの手続補正書により補正された明細書及び図面の記載からみて，その特許請求の範囲の請求項１〜２に記載された事項により特定されるとおりのものであると認められるところ，そのうち請求項２に係る発明（以下，「本願発明」という。）は，次のとおりのものである。
　
「【請求項２】
　特定トレーニー
Ｔ
５
この制御コンピュータ５と医師Ｄとの間でデータ通信可能に連携されており、前記電子測定器４によって測定された運動中の特定トレーニーＴの生理変動量が前記制御コンピュータ５を介し送信されて当該トレーニーTのカルテ情報として記録蓄積可能であると共に、この生理変動量を医師Ｄが既に制御コンピュータ５に記録蓄積されている当該トレーニーＴの前記処方データに照らして診断し、当該制御コンピュータの処方データを書換え更新する医師端末パソコン６と；
１
２
２
Ｔ
５
Ｔ
Ｔ
３
４
５
３
　
３　引用刊行物の記載事項
（１）これに対して，本願特許出願前に頒布された刊行物である，特開平１０−２１６２６８号公報（以下，「引用例１」という。）には，図面の図示とともに次の事項が記載されている（下線は，当審が付与したもの）。
　
（１−ア）「【特許請求の範囲】　
【請求項１】　
トレーニングをするエクセサイザを識別する識別データがストアされた
識別カードと
　
識別カードを読取る第１読取り手段と
　
各識別データに個別的に対応したエクセサイザの（ａ）健康状態に関する第１データと、（ｂ）体の形態に関する第２データと、（ｃ）体力測定結果に関する第３データと、（ｄ）トレーニング経過に関する第４データとをストアするメモリと
　表示手段と、
　
エクセサイザがトレーニングをする複数のトレーニングマシンと
　
第１読取り手段の出力に応答し、読取られた識別カードの識別データに対応するメモリにストアされている
第１〜第４データに基づいて、
そのエクセサイザがトレーニングを行うべきトレーニングマシンを指定するトレーニングマシン指定信号を発生する第１制御手段と
　
各トレーニングマシンの近傍にそれぞれ設けられ、識別カードを読取る第２読取り手段と
　
各トレーニングマシン毎に設けられる第２制御手段であって、第１制御手段からのトレーニングマシン指定信号と第２読取り手段によって読取られた識別データとに応答し、
前記メモリの第１〜第４データの少なくとも一部を読出して、トレーニングマシンのエクセサイザのための負荷を、その読出した第１〜第４データに対応する予め定める負荷値に設定する第２制御手段と
　
トレーニングマシンに関連して設けられ、エクセサイザの体の形態に関する第２データを測定する第１センサと
　トレーニングマシンに関連して設けられ、エクセサイザのための負荷に関するデータを測定する第２センサと、
　
第１センサの出力を第２データとして、ならびに第２センサの出力を第３および第４データとして、メモリにストアする第３制御手段とを含むことを特徴とするトレーニングシステム
【請求項２】　第２制御手段は、第１センサの出力に応答し、前記体の形態が悪くなる予め定めるレベル未満になったとき、負荷を予め定める値だけ軽減して設定することを特徴とする請求項１記載のトレーニングシステム。
【請求項３】　設定される負荷が予め定める下限値になったとき、トレーニングの中止を表す情報を、前記表示手段に表示することを特徴とする請求項２記載のトレーニングシステム。
……
【請求項７】　第１制御手段は、メモリにストアされている第１〜第４データを演算して、次回のトレーニングメニューを作成し、識別データに対応して前記次回のトレーニングメニューを前記メモリにストアすることを特徴とする請求項１記載のトレーニングシステム。
……
【請求項１４】　トレーニングをするエクセサイザを識別する識別データがストアされた複数の識別カードと、
　識別カードを読取る読取り手段と、
　各識別データに個別的に対応したエクセサイザに関するデータをストアするメモリと、
　エクセサイザがトレーニングをするトレーニングマシンと、
　読取り手段の出力に応答し、読取られた識別カードの識別データに対応するメモリにストアされているデータを読出して、トレーニングマシンのエクセサイザのための負荷を、その読出したデータに対応する予め定める負荷値に設定する制御手段とを含むことを特徴とするトレーニングシステム。」
　
（１−イ）「【０００１】
【発明の属する技術分野】本発明は、フィットネスクラブ、スポーツクラブおよびジムなどで、運動を行うエクセサイザが利用するトレーニングシステムおよびフィットネス機器、運動器具などのトレーニングマシンに関する。
【０００２】
【従来の技術】従来から、フィットネスクラブなどでは、ウエイトトレーニングマシンが設置してあり、指導者であるトレーナの指導に従い、運動を行うエクセサイザは、ウエイトスタックマシンまたはフリーウエイトの道具を用い、腕または足などを動かし、エクセサイザの筋に刺激を与え、これによって筋をきたえ、また筋を太くし、さらにはエクセサイザの体形を細くするなどして、健康維持を行うとともに、一般的な体力づくりを行い、また老人、身障者の運動を行うとともに、成人病のリハビリテーションなどを行っている。
……
【０００６】エクセサイザを指導するトレーナは、複数の各エクセサイザ毎のトレーニング経過などを記録紙に筆記して記録しておき、エクセサイザがフィットネスクラブを訪れたときに、その記録紙の内容を読んで、トレーニングマシンの椅子の高さを調整し、またエクセサイザの腕によって変位するレバーの長さなどを調整する。このような作業は、トレーナにとって面倒な作業である。このようにトレーナがトレーニングマシンの調整を行った後、エクセサイザの指導を行うので、トレーナが指導のためのみに労力と時間を費やすことができず、このことは特に、エクセサイザが多数人、いるときには、大きな問題になる。
【０００７】また上述の面倒な作業を行わずに、エクセサイザがトレーニングを行うこともある。トレーニングマシンの椅子およびレバーなどが、複数の各エクセサイザ毎に適切に調整されないままで、運動が行われると、エクセサイザの腕および足などの関節の怪我が多くなるという問題があるとともに、その運動の効果があがらず、きたえようとしている筋に負荷が適切に作用せず、トレーニングの効果が不充分になってしまう。
【０００８】他の先行技術では、ウエイトによるエクセサイザへの負荷を作用する構成の代わりに、トルクモータを用いる構成を有する。このトルクモータによれば、負荷を微調整して連続的に変化することができ、また負荷の作用中において、腕または足などの移動中に負荷を変化させることも可能である。…
【０００９】このトルクモータを用いる先行技術でもまた、トレーニングマシンの各エクセサイザ毎の調整などの問題は存在し、トレーナに大きな負担がかかる。
【００１０】
【発明が解決しようとする課題】本発明の目的は、
複数の各エクセサイザに適切な負荷を作用させることができるようにするとともに、トレーナの負担を軽減することができるようにしたトレーニングシステムおよびトレーニングマシンを提供する
　
（１−ウ）「【００１２】請求項１の本発明に従えば、フィットネスクラブなどのたとえば受付を訪れたエクセサイザは、識別（略称ＩＤ）カードを提示し、第１読取り手段によってその識別カードを読取る。メモリには、各エクセサイザを表す識別データに個別的に対応して、第１〜第４データがストアされている。第１データは、健康状態に関するものであって、病歴、栄養摂取状況、日常生活状況、仕事の状況、余暇の過ごし方などが、数値化されて評価されたデータである。第２データは、体の寸法を含む形態に関するものであって、たとえば、身長、体重、体脂肪率、血圧および脈拍などのデータを含む。第３データは、体力測定結果に関するものであって、筋力、握力、座位体前屈の柔軟性、全身反応時間である敏捷性、閉眼片足立ち平衡性、自転車に乗った状態に類似した負荷を発生するいわゆるエアロバイク（商品名）による心肺持久力、上体おこし筋持久力などの数値化されたデータである。第４データはトレーニング経過に関するものであって、トレーニングを行った日時、エクセサイザが行っているトレーニングメニュー、すなわちトレーニングプログラム、フィットネスクラブを訪れた各回毎のトレーニング運動の種類、トレーニングを中止したときには、その中止した理由などのデータである。トレーニングメニューは、エクセサイザのきたえようとする筋または太くしようとする筋に負荷が適切に作用するためのトレーニングマシンを用いるトレーニング手順であって、たとえばエクセサイザの腕によってレバーを引張り、押し、持上げ、また足で押したり引張ったりする各種の運動を含む。
第１制御手段は、第１読取り手段によって識別カードの内容が読取られたとき、メモリにストアされている第１〜第４データのうちの全部またはその一部を用い、エクセサイザがトレーニングを行うべきトレーニングマシンの種類および識別番号などを指示して表示手段に表示させる。エクセサイザは、この表示手段に表示されたトレーニングマシンの指示を見て、そのトレーニングマシンが設置している場所に歩いて移動する。エクセサイザが、前記指示されたトレーニングマシンに到達したとき、エクセサイザは再び前記識別カードを提示して第２読取り手段によってその識別カードを読取らせる。これによって第２制御手段は、第１制御手段から与えられるトレーニングマシンを指定する信号と、そのトレーニングマシンを使おうとするエクセサイザの第１制御手段からの識別信号が、トレーニングマシンの近傍に設けられている第２読取り手段によって読取られた識別データと一致すれば、そのエクセサイザに対応する前記第１〜第４データの少なくとも一部を読出し、そのエクセサイザに最適な負荷値をトレーニングマシンに設定する。
【００１３】また本発明は、第２制御手段は、第１センサの出力に応答し、前記体の形態が悪くなる予め定めるレベル未満になったとき、負荷を予め定める値だけ軽減して設定することを特徴とする。
請求項２の本発明に従えば、エクセサイザがトレーニングマシンを用いてトレーニングを行っている途中で、たとえば第１センサによって検出される血圧が予め定める血圧値を超えるなどし、換言すると体の形態が悪くなる予め定めるレべル未満になったとき、負荷を予め定める１段階だけ軽減して設定する。これによってエクセサイザの血圧がさらに上昇することを防ぎ、安全にトレーニングを続行することができる。このように負荷を軽減した状態でトレーニングを行っている途中で、エクセサイザの血圧が再び予め定める値を超えるなどして体の形態が悪くなる予め定めるレベル未満になると、負荷をさらにもう１段階だけ軽減する。このようにしてエクセサイザの運動中に血圧が異常に上昇し、エクセサイザが危険な状態になることを防ぐことができる。血圧のほかに、脈拍などであってもよい
【００１４】また本発明は、設定される負荷が予め定める下限値になったとき、トレーニングの中止を表す情報を、前記表示手段に表示することを特徴とする。請求項３の本発明に従えば、前述の請求項２において負荷が段階的に軽減されてゆき、その設定される負荷が、予め定める下限値になったとき、たとえばエクセサイザに負荷がほとんど作用されない程度に負荷が零に近い値に設定されたときには、トレーニングの中止を表す情報を、第２制御手段によって表示手段に表示させる。これによってたとえば受付などに設置されている表示手段の表示内容を、トレーナが見て、トレーニングマシンを使用しているエクセサイザの指導を行い、またはエクセサイザに充分な注意をはらうことができるようになる。」
　
（１−エ）「【００１８】また本発明は、第１制御手段は、メモリにストアされている第１〜第４データを演算して、次回のトレーニングメニューを作成し、識別データに対応して前記次回のトレーニングメニューを前記メモリにストアすることを特徴とする。請求項７の本発明に従えば、第１制御手段は、エクセサイザが提示した識別カードの内容を読取る第１読取り手段の出力に応答して、そのときにメモリにストアされている第１〜第４データを演算して、いまから行おうとする次回のトレーニングメニューを作成する。…」
　
（１−オ）「【００２７】
【発明の実施の形態】図１は、本発明の実施の一形態の電気的構成を示すブロック図である。
フィットネスクラブ、スポーツクラブおよびジムなどの受付には、ユニット１が設けられ、エクササイザが運動トレーニングを行う場所には複数種類の各種運動を行うためのユニット２が設けられ、さらに運動するエクセサイザの健康状態および体の形態に関するデータを観察、測定して診察するユニット３が１または複数、設けられる。これらのユニット１，２，３は、通信ライン４を介して接続される
ユニット３は、たとえばフィットネスクラブ、スポーツクラブおよびジムなどの診察室に設けられる。このユニット３には診察手段１１１が備えられ、マイクロコンピュータなどによって実現される処理回路１１２に接続される。読取り手段１１３によって識別カードを読取らせると、診察手段１１１は、エクセサイザの健康状態および体の形態に関するデータを観察、測定して診察し、その結果を処理回路１１２に出力する。処理回路１１２は、前記診察手段１１１による診察結果をユニット３の通信装置は、ライン４およびユニット１の通信装置１２を介して、読取り手段１１３による識別カード５の識別データに対応させて、メモリ８にストアする。
【００２８】ユニット１には、メモリ８が備えられ、処理回路７に接続される。このメモリ８には、第１表に示されるように、複数の各識別データに対応して、第１〜第４データがそれぞれストアされる。
……
【００３１】処理回路７は、第１読取り手段６の出力に応答し、読取られた識別カード５の識別データに対応するメモリ８にストアされている第１〜第４データのうちの少なくとも一部をプリンタ９の記録紙に印字するとともに、表示手段１０に表示し、さらにこれらの第１〜第４データに基づいてエクセサイザがトレーニングを行うべきトレーニングマシン１３（次に述べる図２参照）の種類および識別番号などの指示を、プリンタ９によって記録紙に印字し、また表示手段１０によって表示する。処理回路７はまた、エクセサイザがトレーニングを行うべきトレーニングマシン１３を指定するトレーニングマシン指定信号を発生して通信ライン４に導出する。」
　
（１−カ）「【００３２】図２は、トレーニングマシン１３毎に個別的に設けられるユニット２の電気的構成を示すブロック図である。なお、図２では通信装置は参照符１６および１７で示してあるが、これらを総括して図１では参照符１２で示す。トレーニングマシン１３の近傍には、識別カード５を読取るための第２読取り手段１４が備えられ、その識別データは
第２および第３制御手段であり、マイクロコンピュータなどによって実現される処理回路１５
【００３３】エクセサイザ１８の人体の形態に関するデータは、第１センサであるセンサ３２によって検出される。
このセンサ３２は、血圧、脈拍および筋電などを検出し、処理回路１５に与える
【００３４】
処理回路１５は、通信ライン４ａを介するトレーニングマシン指定信号と第２読取り手段１４によって読取られた識別データとに応答し、通信ライン４ａを介して与えられるエクセサイザを識別する識別データが、第２読取り手段１４によって読取られた識別データと一致したとき、メモリ８にストアされている第１〜第４データの少なくとも一部を読出して、トレーニングマシン１３のエクセサイザ１８のための負荷を、その読出した第１〜第４データに対応する予め定める負荷値に設定し、すなわちトルクモータ２８の電圧を制御する
処理回路１５は、センサ３２の出力を、前記第２データとして通信ライン４ａを介してユニット１の処理回路７に与え
メモリ８に、対応する識別データ毎に、ストアして、それらのデータを追加または更新する。このようなセンサ３２の出力をメモリ８にストアし、またロータリエンコーダ３１の出力をメモリ８にストアする制御動作を行う手段が、処理回路１５に備えられている
　
（１−キ）「【００４０】
図７は、ユニット１の処理回路７の動作を説明するためのフローチャートである
識別カード５を第１読取り手段６によって読取られると、その識別データは処理回路７に与えられ、この識別データに対応してメモリ８からは、ステップａ３において第１〜第４データが読取られる
前述のステップａ４では、第１〜第４データに基づいて、トレーニングマシン１３の負荷値を表す信号を導出してユニット２に与える
　
（１−ク）「【００４３】
図８は、ユニット２の処理回路１５の動作を説明するためのフローチャートである
ユニット１から通信ライン４を介して与えられる信号が表すトレーニングマシン１３の種類または識別番号などのトレーニング指定信号を受信し、またそのトレーニングマシン１３における予め定める負荷値がユニット２に与えられ、さらにユニット１における第１読取り手段６によって読取られた識別カードの識別データもまた、ユニット２に与えられる
ユニット１から与えられた識別データと、第２読取り手段１４によって読取られた識別データとが一致しているかどうかを判断し、一致しているときに、そのトレーニングマシン１３の使用が可能になるように、次のステップｂ５に移る
【００４４】ステップｂ５では、
ユニット１のメモリ８にストアされている前述の第１〜第４データの少なくとも一部を読出し、その読出した第１〜第４データに対応する予め定める負荷値を、ステップｂ６において演算してステップｂ７で、トルクモータ２８に与える電圧として設定する
……
【００４７】トレーニングマシン１３の負荷値は、図８のステップｂ８におけるセンサ３２の測定値によってもまた、変化される。」
　
（１−ケ）「【００４８】図９は、このセンサ３２の出力によってトレーニングマシン１３の負荷値を変化するための処理回路１５の動作を説明するためのフローチャートである。ステップｃ１からステップｃ２に移り、センサ３２の出力を処理回路１５において受信する。センサ３２の出力は、たとえばこの実施の形態では脈拍を表す信号である。単位時間あたりの脈拍数ＨＲの最大値ＭＨＲは、式２で示される。
【００４９】
　　　ＭＨＲ ＝ （２２０ − Ｙ）・Ｒ　　　　　　　　　　…（２）
　式２におけるＹは、エクセサイザ１８の年令であり、Ｒは、第１〜第４データに基づいて演算して得られた前記第１負荷値に対する％割合を示し、たとえば前述のようにトレーニングコース、トレーニングメニューまたはトレーニングプログラムなどに対応して定められる値であって、たとえばＲ＝８０％またはＲ＝６０％であってもよい。
【００５０】
図９のステップｃ３においてセンサ３２によって検出されたエクセサイザ１８の脈拍ＨＲが、前記最大脈拍ＭＨＲを超えたとき、すなわち健康状態が悪くなる予め定めるレベル未満になったとき、トレーニングマシン１３に設定されているトルクモータ２８の電圧を、予め定める電圧ΔＶだけ減少して負荷を予め定める値ΔＬだけ、ステップｃ４にいて軽減する
【００５１】
こうしてエクセサイザ１８の健康状態が悪くなる方向になったときには、
負荷がさらに、予め定める値ΔＬずつ低下してゆく。この負荷Ｌが、予め定める下限値Ｌ０以下になったときには、ステップｃ５からステップｃ６に移り
このようにしてエクセサイザ１８の健康が悪化するときには、トレーニングが中止されるので、安全性が確保される
　
（１−コ）「【００６０】
【発明の効果】請求項１の本発明によれば、エクセサイザに最適の負荷を微調整して作用させることができるとともに、その負荷には、慣性が作用することはなく、また大きな騒音が生じることはなく、快適なトレーニング環境を保つことができる。さらに本発明によれば、インストラクタの負担が軽減される。インストラクタは、前述の先行技術のように各個別のエクセサイザ毎のトレーニングに関する情報を記録紙に記録する必要はなく、またトレーニングマシンを、各エクセサイザ毎に調整する必要はなく、したがってトレーナは、エクセサイザを指導するためにのみ、努力を傾けることができ、効率的なトレーニングを達成することができる。
【００６１】さらにエクセサイザは、比較的短い時間に効率よく、筋の増強を行うことができる。さらにまたいわゆるダイエットを目的として痩身のための体重低減を短期間に行うことができ、これによってもまたトレーニングを効率よく行うことができる。さらにまた成人病のリハビリテーションなどの健康回復を、短期間で行い、トレーニングの高い効果を得ることができる。
【００６２】さらにエクセサイザは、一連のトレーニングメニューを、表示手段および個別表示手段を見ながら誤りなくトレーニングを順次的に行うことができる。
【００６３】
請求項２の本発明によれば、トレーニング中に血圧が異状に高くなるなどの危険な状態を回避することができ、エクセサイザを安全な状態に保ちつつ、トレーニングを行わせることができる
【００６４】請求項３の本発明によれば、エクセサイザに作用する負荷が下限値、たとえばほぼ零になったときには、そのトレーニングの中止を表す情報を表示手段に表示する。これによって表示手段の情報を見たトレーナは、対応するトレーニングマシンを用いているエクセサイザに、最適な指導を行なわせることができる。
……
【００６８】請求項７の本発明によれば、エクセサイザがフィットネスクラブを訪れて行うべき次回のトレーニングメニューを、メモリにストアされている第１〜第４データに基づいて演算して求め、したがって
エクセサイザは、誤りなく正確にトレーニングを行うことができるようになり、このことは多数のエクセサイザがいるフィットネスクラブにおいてトレーナの負担を軽減するのに大きな効果が達成される
　
　以上の記載事項（１−ア）〜（１−コ）および図面を総合すると，引用例１には，
「トレーニングをするエクセサイザ１８を識別する識別データがストアされた識別カード５と，
　識別カード５を読取る第１読取り手段６と，
　各識別データに個別的に対応したエクセサイザ１８の健康状態に関する第１データと，体の形態に関する第２データと，体力測定結果に関する第３データと，トレーニング経過に関する第４データとをストアするメモリ８と，
　前記第１読取り手段６の出力に応答し，読取られた識別カード５の識別データに対応する前記メモリ８にストアされている前記第１〜第４データに基づいて，エクセサイザ１８がトレーニングを行うべきトレーニングマシン１３を指定するトレーニングマシン指定信号とそのトレーニングマシン１３における予め定める負荷値を出力する第１制御手段７と，
　エクセサイザ１８がトレーニングをする複数のトレーニングマシン１３と，
　前記トレーニングマシン１３の近傍にそれぞれ設けられ，識別カード５を読取る第２読取り手段１４と，
　前記トレーニングマシン１３に関連して設けられ，運動中のエクセサイザ１８の血圧，脈拍および筋電などの体の形態に関する第２データを測定するセンサ３２と，
　前記トレーニングマシン１３毎に設けられ，前記第１制御手段７からの出力である前記トレーニングマシン指定信号及び前記予め定める負荷値と前記第２読取り手段１４によって読取られた識別データとに応答し，前記第１読取り手段６によって読取られた識別データと前記第２読取り手段１４によって読取られた識別データとが一致したとき，その識別データに対応する前記メモリ８にストアされている前記第１〜第４データに基づいて，トレーニングマシン１３のエクセサイザ１８のための負荷を設定する第２制御手段１５と，
　前記第１制御手段７及び第２制御手段１５と通信ライン４によって接続され，診察室に設けられたマイクロコンピュータ等の処理回路１１２とを含み，
　前記第２制御手段１５は，前記センサ３２の出力を通信回線ライン４を介して前記メモリ８に前記第２データとしてストアするとともに，前記センサ３２の出力に応答し，エクササイザ１８の健康状態が悪くなる予め定めるレベル未満になったとき，前記トレーニングマシン１３に設定される負荷を段階的に軽減し，前記トレーニングマシン１３に設定される負荷がさらに予め定める下限値Ｌ０以下になったときにはトレーニングを中止するよう制御するトレーニングシステム。」の発明（以下，「引用発明１」という。）が記載されているものと認められる。
　
（２）また，本願特許出願前に頒布された刊行物である，特開２００４−３５５６１７号公報（以下，「引用例２」という。）には，図面の図示とともに次の事項が記載されている。
　
（２−ア）「【技術分野】
【０００１】
　本発明はフィットネスにおいて、医科学検査に基づき身体的リスクを判定し医師・管理栄養士・トレーナー連携のもと運動プログラム，栄養プログラムを処方し、定量的な効果分析による身体的リスク改善を行う「総合健康管理フィットネスシステム」であるメディフィットシステムに関する。」
　
（２−イ）「【背景技術】
【０００２】
　従来、フィットネスクラブにおいてはエクササイズと呼ばれるトレーニングを中心とした運動プログラムの提供が一般的に行われており、最近では運動記録機能付きトレーニングマシンや体成分分析装置を導入し、測定結果から運動メニューを提供するフィットネスクラブもできている。
【０００３】
　従来のフィットネスクラブの方法は、単に会員に運動プログラムを提供をしているに過ぎず、トレーナーからのアドバイスはあるにせよトレーニングの実施は各会員任せにより実施される傾向があるため、トレーニングの実施方法及び内容にバラツキがあり、継続的な運動プログラムによるトレーニングが行われない。
【０００４】
　また、運動記録付きトレーニングマシンや体成分分析装置等の導入により、従来よりも定量的効果分析に基づく運動プログラムの提供が可能となってきているが、運動プログラムの作成はその都度トレーナーの経験と技量により行われるため、内容にバラツキがある。」
　
（２−ウ）「【発明が解決しようとする課題】
【０００５】
　そこで本発明が解決しようとする課題は、定量的・統計的に会員の身体的リスクを判定し、医師・管理栄養士・トレーナーによるカウンセリングの実施と意見を反映させた最適な運動プログラム，栄養プログラムを自動的に抽出・作成し、会員に身体的リスク改善の目的とトレーニングの実施を継続的に行うことができるシステムを提供することにある。」
　
（２−エ）「【課題を解決するための手段】
【０００６】
　上記課題を解決するために本発明は、フィットネスクラブにおける会員の身体的情報を登録、照会する複数のコンピュータからなる端末を備え、上記端末がサーバーに接続されたネットワークシステムにおいて、上記会員の身体的情報をリスク判定し、運動プログラムを提供することにより身体的リスクを改善するメディフィットシステムであり、会員は会員個別に付された会員ＩＤに基づいてデータが処理管理され、年齢、性別、職業等と栄養摂取を含むメディカルチェックアンケートによる身体的データを基礎データとして入力する入力手段と、上記基礎データに基づいて医科学検査の項目が選定される選定手段と、上記医科学検査の結果データを入力する入力手段と、測定器具より得た該会員の体成分分析結果データを入力する入力手段と、上記各入力手段により得られたデータをリスク判定手段によって身体的リスク判定を行う判定手段と、上記リスク判定の結果に基づいて運動プログラム及び栄養プログラムを作成する運動プログラム，栄養プログラムの作成手段と、上記運動プログラムを基に該会員を交えて医師・管理栄養士・トレーナーによるカウンセリングを実施し、上記カウンセリングの結果をリスク判定ファイル及び運動プログラムファイル，栄養プログラムファイルに反映格納する手段と、上記カウンセリングの結果を反映した運動プログラムファイル，栄養プログラムファイルより該会員が実施する運動プログラム，栄養プログラムを自動作成する作成手段と、上記運動プログラムに従い該会員がトレーニングを行い、上記トレーニング時の運動記録データを入力する入力手段と、上記各手段によって得られたデータから効果分析手段により効果分析結果データを作成する作成手段と、上記効果分析結果を確認する手段とを有し、該会員の身体的リスク改善を行うことを特徴とする。
【０００７】
　請求項２では、請求項１に記載のメディフィットシステムにおいて、インターネット、ＶＰＮ、専用回線等を含むネットワークとサーバーを接続して、複数のフィットネスクラブのデータを統合管理し、一元的に運動プログラム及び効果分析データを提供する手段を備えたことを特徴とする。
【０００８】
　請求項３では、請求項１のメディフィットシステムにおいて、医師・管理栄養士・トレーナーによるカウンセリングは、フィットネスクラブ施設内に限ることなく、請求項２記載のネットワークとサーバーを接続することにより、ＷｅｂＴＶ等を介して医師・トレーナーと会員の自宅等からも対面によるカウンセリングを実施することができる手段を備えたことを特徴とする。」
　
（２−オ）「【発明の効果】
【０００９】
　請求項１の発明によれば、メディカルチェック、医科学検査、体成分分析結果より判定された身体的リスクと自動作成された運動プログラムに対し、医師・管理栄養士・トレーナーとのカウンセリングを行うことにより医療と栄養とフィットネス分野のプロのチェックのもとに運動および栄養プログラムが提供され、且つメディフィット会員自身でトレーニング後の効果分析結果を確認しながら適切な運動および栄養プログラムを実施することができ、身体的リスク改善を図ることができる。」
　
（２−カ）「【発明を実施するための最良の形態】
【００１０】
　メディフィットシステム会員入会手続きを行う入会時会員情報入力と、検査カウンセリング予約と、医科学検査と、体成分分析と、医師・管理栄養士・トレーナーとのカウンセリングと、トレーニング予約と、運動プログラムによるトレーニングと、効果分析結果の確認とからなる一連の手段にて実現した。
【実施例】
【００１１】
　以下、本発明における実施の形態を図に基づいて詳細に説明する。
　図１は、本発明のメディフィットシステムの概略フローを示しており、メディフィットシステム会員入会手続きを行う入会時会員情報入力２と、検査カウンセリング予約３と、医科学検査４と、体成分分析５と、医師・管理栄養士・トレーナーとのカウンセリング６と、トレーニング予約７と、図４の一例に示す様な運動プログラムによるトレーニング８と、図３の一例に示す様な効果分析結果の確認９とからなる手段を有している。
【００１２】
　図２はネットワーク環境におけるメディフィットシステム全体の概略構成図である。複数のメディフィット端末１０３が、ネットワークによりサーバー１０１に接続されている。上記メディフィット端末１０３はタブレットやタッチパネル等のコンピュータ端末装置であり、メディフィットシステムのデータ入力、照会を行う。
【００１３】
　メディフィットシステムを利用するためには、はじめにメディフィット会員入会手続きを行い、同時にメディカルチェックアンケートを行う。…
……
【００１５】
　上記より入会したメディフィット会員は、メディフィット端末１０３より検査カウンセリング予約３を選択し、医科学検査４、体成分分析５（フィットネスチェック）の予約、医師・管理栄養士・トレーナーとのカウンセリング６の予約を行う。…
……
【００１９】
　次に、医師・管理栄養士・トレーナーによるカウンセリング６を予約した日時に従い実施する。メディフィット端末１０３より医師・管理栄養士・トレーナーとのカウンセリング６の処理により、「会員ＩＤ」に基づいて医科学検査結果ＤＢ１４と運動処方ＤＢ１５と体成分分析ＤＢ１６よりリスク判定ＤＢ１７を参照しリスク判定が行われ、リスク判定の結果に従って運動プログラム及び栄養プログラムＤＢ１８より運動プログラムを自動作成する。上記作成された運動プログラムは、メディフィット端末１０３に表示され、上記運動プログラムを基にメディフィット会員を交えて、医師・管理栄養士・トレーナーとの栄養相談等生活習慣にまで及んだ３者によるカウンセリングを実施し、カウンセリングの結果をメディフィット端末１０３の医師・管理栄養士・トレーナーとのカウンセリング６の処理を選択し、入力し登録を行う。サーバー１０１は上記情報を「会員ＩＤ」に基づいて、リスク判定ＤＢ１７、運動プログラム及び栄養プログラムＤＢ１８に反映格納し、その結果から運動プログラム及び栄養プログラムＤＢ１８よりメディフィット会員の運動プログラムが作り直され、運動プログラム１９を印刷してメディフィット会員に提供される。上記リスク判定ＤＢ１７、運動プログラム及び栄養プログラムＤＢ１８はデータが蓄積されることにより、知識データベースとして学習されることにより、作成される運動プログラム１９の精度が向上し、運動プログラムの調整作業が短縮される。
【００２０】
　医師・トレーナーとのカウンセリング６を実施後、メディフィット端末１０３よりトレーニングの予約７の処理を選択実行し、メディフィット端末１０３内蔵のシステムタイマーに従い、現在の日時に基づいてサーバー１０１にトレーニングマシンの予約情報を照会する。サーバー１０１は上記メディフィット端末１０３の現在の日時に基づいて、現在の日時を含む日付以降のトレーニングマシンの予約情報をトレーニング予約ＤＢ２０より抽出し、上記抽出した情報をメディフィット端末１０３に表示する。上記表示したトレーニング予約状況よりメディフィット会員は、予約の空き状況を考慮して担当トレーナー、トレーニングマシンの予約を登録し、上記登録した情報はサーバー１０１に送信される。サーバー１０１は上記情報をトレーニング予約ＤＢ２０に格納する。
【００２１】
　上記予約後、医師・管理栄養士・トレーナーとのカウンセリング６で処方された運動プログラム１９に従って、担当トレーナーの指導のもとにトレーニング８を実施する。トレーニングの運動記録は自動記録付きトレーニングマシンの場合は、開始前に会員ＩＤを記憶させ、運動記録は「会員ＩＤ」に基づいてサーバー１０１に送信される。サーバー１０１は上記送信された運動記録を「会員ＩＤ」に基づいて運動記録ＤＢ２１に格納する。また、自動記録機能の無いトレーニングマシンの場合は、メディフィット端末１０３よりトレーニング８の処理を選択し、「会員ＩＤ」に基づいて運動記録の登録を行い、上記運動記録データをサーバー１０１に送信する。サーバー１０１は上記運動記録データを「会員ＩＤ」に従って運動記録ＤＢ２１に格納する。
【００２２】
　処方された運動プログラム１９はおよそ３ヶ月程度の期間実施し、その後検査カウンセリング予約３より再び行い、医科学検査４、体成分分析５、医師・管理栄養士・トレーナーとのカウンセリング６を実施し、また新たに運動プログラム１９が処方されてトレーニングを行うサイクルにより、メディフィット会員の身体的リスク改善を行う。」
　
（２−キ）「【産業上の利用可能性】
【００３０】
　リハビリテーションシステムにも適用させることが可能である。」
　
　以上の記載事項（２−ア）〜（２−キ）および図面を総合すると，引用例２には，
「フィットネスシステムにおいて，医科学検査に基づき会員の身体的リスクを判定し，医師・管理栄養士・トレーナー連携のもと会員毎に運動プログラム，栄養プログラムを処方し，前記運動プログラムに従い当該会員がトレーニングを行い，定量的な効果分析による身体的リスクの改善を行う，フィットネスと医療とを融合させた総合健康管理フィットネスシステム」の発明（以下，「引用発明２」という。）が記載されているものと認められる。
　
４　対比・判断
　本願発明と引用発明１とを対比すると，その構造および機能からみて，引用発明１の「トレーニングをするエクセサイザ１８」，「エクセサイザ１８を識別する識別データ」，「識別データがストアされた識別カード５」，「エクセサイザ１８がトレーニングを行うべきトレーニングマシン１３を指定するトレーニングマシン指定信号とそのトレーニングマシン１３における予め定める負荷値」及び「前記トレーニングマシン１３に関連して設けられ，運動中のエクセサイザ１８の血圧，脈拍および筋電などの体の形態に関する第２データを測定するセンサ３２」は，それぞれ，本願発明の「トレーニーＴ」，「特定のトレーニーを識別するためのＩＤコード」，「ＩＤコードが記録されたコンパクト記録媒体１」，「運動種類、運動負荷値など当該トレーニーが運動量を実行消化するために必要な運動処方データ」及び「この運動中のトレーニーの呼吸数、心拍数、血圧値、心筋電圧のごとき生理的変動量を計測する電子測定器４」に相当する。
　
　また，本願発明の「特定トレーニーについて医師の診断処方した運動種類、運動負荷値など当該トレーニーが運動量を実行消化するために必要な運動処方データがフィットネス機器制御信号として記録蓄積されている制御コンピュータ５」は「該当するトレーニーＴの記録を検出し、当該トレーニーＴに対する医師処方の運動処方に基づくフィットネス機器制御信号を出力」するものであるところ，引用発明１の「第１制御手段７」は，「エクセサイザ１８がトレーニングを行うべきトレーニングマシン１３を指定するトレーニングマシン指定信号とそのトレーニングマシン１３における予め定める負荷値」（運動処方データ）を出力するものであるから，引用発明１の「第１制御手段７」及び「メモリ８」は，本願発明の「制御コンピュータ」と，「特定トレーニーについて運動種類、運動負荷値などの該トレーニーが運動量を実行消化するために必要な運動処方データを出力する制御コンピュータ」の点で共通するといえる。
　
　また，引用発明１の「識別カード５を読取る第１読取り手段６」は，「識別カード５」から読取った「識別コード」をこの「第１制御手段７」（制御コンピュータ）に対して出力するものであるから，本願発明の「この記録媒体に記録された特定トレーニーのＩＤコードを読み出して、読み出したＩＤコードを前記制御コンピュータに送るリーダ手段２」に相当するといえる。
　
　また，引用発明１の「エクセサイザ１８がトレーニングをする複数のトレーニングマシン１３」は，「前記第１制御手段７からの出力である前記トレーニングマシン指定信号及び前記予め定める負荷値」，つまり，運動処方データに応答して，「前記第１読取り手段６によって読取られた識別データと前記第２読取り手段１４によって読取られた識別データとが一致したとき，この識別データに対応する前記メモリ８にストアされている前記第１〜第４データに基づいて」「第２制御手段１５」によって「エクセサイザ１８のための負荷」が設定されるものであって，これを用いた運動が「所定の時間」かけて行われることは明らかであるから，本願発明の「このリーダ手段から送られた特定トレーニーのＩＤコードに基いて制御コンピュータが該当するトレーニーの記録を検出し、当該トレーニーに対する医師処方の運動処方に基づくフィットネス機器制御信号を出力して当該トレーニーに適合した負荷値にて指定種類の運動を所定の時間分だけ実行支援する少なくとも一種類のフィットネス機器３」と，「前記リーダ手段から送られた特定トレーニーのＩＤコードに対応した前記制御コンピュータからの運動処方データの出力に基づいて，特定トレーニーに適合した負荷値にて指定種類の運動を所定の時間分だけ実行支援する少なくとも一種類のフィットネス機器」の点で共通し，引用発明１の「トレーニングシステム」は本願発明の「メディカル・オートフィットネス装置」と「オートフィットネス装置」の点で共通するといえる。
　
　また，引用発明１の「前記第２制御手段１５は，前記センサ３２の出力を通信回線ライン４を介して前記メモリ８に前記第２データとしてストアするとともに，前記センサ３２の出力に応答し，エクササイザ１８の健康状態が悪くなる予め定めるレベル未満になったとき，前記トレーニングマシン１３に設定される負荷を段階的に軽減し，前記トレーニングマシン１３に設定される負荷がさらに予め定める下限値Ｌ０以下になったときにはトレーニングを中止するよう制御する」は，本願発明の「この電子測定器の出力する測定値を受信して記録するとともに、当該測定値が正常範囲を超えたときに前記制御コンピュータ５が当該フィットネス機器３に停止信号を発して停止せしめる」と，「この電子測定器の出力する測定値が受信されて記録されるとともに，当該測定値が正常範囲を超えたときに当該フィットネス機器が停止せしめられる」点で共通する。
　
　してみると，本願発明と引用発明１とは，
　
［一致点］
「特定トレーニーについて運動種類，運動負荷値などの該トレーニーが運動量を実行消化するために必要な運動処方データを出力する制御コンピュータと，
　特定のトレーニーを識別するためのＩＤコードが記録されたコンパクト記録媒体と，
　この記録媒体に記録された特定トレーニーのＩＤコードを読み出して，読み出したＩＤコードを前記制御コンピュータに送るリーダ手段と，
　前記リーダ手段から送られた特定トレーニーのＩＤコードに対応した前記制御コンピュータからの運動処方データの出力に基づいて，特定トレーニーに適合した負荷値にて指定種類の運動を所定の時間分だけ実行支援する少なくとも一種類のフィットネス機器と，
　この運動中のトレーニーの呼吸数，心拍数，血圧値，心筋電圧のごとき生理的変動量を計測する電子測定器と，
　この電子測定器の出力する測定値が受信されて記録されるとともに，当該測定値が正常範囲を超えたときに当該フィットネス機器が停止せしめられるオートフィットネス装置。」
　
の点で一致し，次の点で相違する。
　
［相違点１］
　運動種類，運動負荷値などトレーニーが運動量を実行消化するために必要な運動処方データが，本願発明においては，「医師の診断処方した」ものであり，これが制御コンピュータに「フィットネス機器制御信号として」記録蓄積され，制御コンピュータからリーダ手段から送られた特定トレーニーのＩＤコードに応じて「当該トレーニーに対する医師処方の運動処方に基づくフィットネス機器制御信号」としてフィットネス機器に出力されるものであって，全体として「メディカル・オートフィットネス装置」と称されるものであるのに対して，引用発明１においては，エクセサイザ１８の識別データに応じて「前記メモリ８にストアされている前記第１〜第４データ」に基づいて，「第１制御手段７」によって「エクセサイザ１８がトレーニングを行うべきトレーニングマシン１３を指定するトレーニングマシン指定信号とそのトレーニングマシン１３における予め定める負荷値」（運動処方データ）が出力され，各トレーニングマシン毎に設けられた「第２制御手段１５」によって「トレーニングマシン１３のエクセサイザ１８のための負荷」に設定される点。
　
［相違点２］
　電子測定器の出力する測定値が正常範囲を超えたときに，本願発明においては，「前記制御コンピュータが当該フィットネス機器に停止信号を発して」停止せしめるのに対して，引用発明１においては，ホスト側の第１制御手段７（制御コンピュータ）ではなく，トレーニングマシン１３毎に設けられた第２制御手段１５によって停止せしめられる点。
　
［相違点３］
　本願発明においては，「この制御コンピュータ５と医師Ｄとの間でデータ通信可能に連携されており、前記電子測定器４によって測定された運動中の特定トレーニーＴの生理変動量が前記制御コンピュータ５を介し送信されて当該トレーニーTのカルテ情報として記録蓄積可能であると共に、この生理変動量を医師Ｄが既に制御コンピュータ５に記録蓄積されている当該トレーニーＴの前記処方データに照らして診断し、当該制御コンピュータの処方データを書換え更新する医師端末パソコン６」をも備えるものであるのに対して，引用発明１では，「前記第１制御手段７及び第２制御手段１５と通信ライン４によって接続され，診察室に設けられたマイクロコンピュータ等の処理回路１１２」を備えるものの，この処理回路１１２が本願発明の上記「医師端末パソコン６」に相当するものといえるものであるのか明らかではない点。
　
　以下，上記相違点について検討する。
　
［相違点１について］
　引用発明１と引用発明２は，ともにフィットネスシステムという技術分野に属し，また両発明は，エクササイザ又は会員に適したトレーニングメニュー又は運動プログラムを提供し，これに従い各エクササイザ又は会員がトレーニングを行うという作用・機能の面でも共通するから，引用発明１において，フィットネスと医療との融合を目的として，引用発明２を適用すること，すなわち「医師の診断処方した」運動処方データを用いることは，当業者にとって格別の技術的困難性がなく，容易になし得る事項であるといえる。
　そして，引用発明１におけるトレーニングマシン１３は，第１制御回路７及び第２制御回路１５により各エクササイザに適した負荷値を自動的に与えられるものであるから，「医師の診断処方した」運動処方データを用いるにあたり，運動処方データをメモリ８に「フィットネス機器制御信号として」予め記録蓄積の上，エクセサイザ１８の識別データに応じて出力するように構成することは，当業者が適宜なし得る設計的事項に過ぎない。
　そうしてみると，引用発明１において相違点１に係る本願発明の構成を採用することは，当業者にとって格別の技術的困難性がなく，容易になし得る事項であるといえる。
　
［相違点２について］
　複数のトレーニングマシンが通信ラインを介して接続されたホスト側の制御手段によって，トレーニングマシン利用者の異常を検知したときに当該トレーニングマシンを停止制御することは，例えば，特開２００４−１６７３８号公報（【００３８】〜【００４０】），特開昭６３−１１１７７号公報（２頁左上欄１４行〜３頁右上欄１６行）等に記載されているように，従前周知の技術的手段であるから，引用発明１において，トレーニングマシン１３毎に設けられた第２制御手段１５による停止制御に代えて，ホスト側の第１制御手段７による停止制御を採用することは，当業者が適宜なし得る設計変更程度のことに過ぎない。
　そうしてみると，引用発明１において，相違点２に係る本願発明の構成のようになすことは，当業者にとって格別の技術的困難性がなく，容易になし得る事項であるといえる。
　
［相違点３について］
　引用発明１に対して，医師等の関与の下での総合的な運動・健康の管理を行う，引用発明２を適用するにあたり，引用発明１においても，センサ３２によって運動中のエクセサイザ１８の血圧，脈拍および筋電などの体の形態に関する第２データ（運動中の特定トレーニーの生理変動量）が測定され，ホスト側の第１制御手段７のメモリ８に記録されるものであって，第１制御手段７と診察室に設けられたマイクロコンピュータ等の処理回路１１２とが通信ライン４を介して相互に接続されるものであるところ，こうした運動時の生理的変動情報が医師のカルテ情報として価値のあるものであることは自明であるから，例えば，特開２００３−１３２１５０号公報（【０００８】，【００１４】〜【００１５】，【００１９】〜【００２０】，【００２２】〜【００２４】，【００２９】〜【００４０】，図１〜５）等に記載されているような病院等に設置された医師端末パソコンに送信・記録蓄積可能な構成とすると共に，引用発明２においても，医師等の処方による運動プログラムは随時見直されるべきものである（上記記載事項（２−カ）（特に【００２２】）参照）から，ホスト側の第１制御手段７のメモリ８に記録する運動処方データを医師端末パソコンにより書換え更新可能に構成することは，当業者が容易に想到しうることである。
　そうしてみると，引用発明１において本願発明の相違点３に係る構成を採用することは，当業者にとって格別の技術的困難性がなく，容易になし得る事項であるといえる。
　
　そして，本願明細書に記載された本願発明の効果も，引用例１及び２に記載された発明並びに従来周知の事項から予測される程度のものにすぎず，格別顕著なものとはいえない。
　
５　付言
　なお，請求人は，平成２１年３月５日付けの意見書において，「本願発明…は、上記発明特定要件…を巧みに選択して連関統合することによって、従来期待することのできなかった次の作用効果を達成し得たのである。」として，(1)「医師管理によるメディカル・オートフィットネス効果」，(2)「電子管理フィットネス安全効果」，(3)「通信ネット化運営効果」，(4)「最新カルテ情報の書換え更新効果」の４つの効果を掲げ，本願発明の進歩性を主張している。
　しかしながら，(1)に関し，医師の関与の下で運動プログラム（運動処方データ）を処方する点は，引用例２に記載されていることであって，また，運動処方データに基づき適切にフィットネス機器を自動駆動することによって，指導要員の労力を低減できる点は，引用例１に記載されており（上記記載事項（１−ケ）参照），さらに従前必要とされた指導要員が不要にさえなることは，当業者が予測しうる程度のもの（必要があれば，例えば，前述の特開２００４−１６７３８号公報（【０００６】〜【００１０】）等も参照のこと。）に過ぎず，格別顕著なものとはいえない。
　また，(2)に関し，運動中のトレーニーの生理的変動量を電子測定器によって測定し，これを随時監視することによって，トレーニーの安全性が確保される点は，引用例１（上記記載事項（１−ケ），（１−コ）参照）や前述の特開２００３−１３２１５０号公報（特に【００３８】〜【００４０】）等の記載に照らし，当業者が予測しうる程度のものに過ぎず，格別顕著なものとはいえない。
　次に，(3)に関し，フィットネスシステムに用いられる各種装置を通信ライン・ネットワークを介して連関統合することによって，医師端末パソコンとデータ通信可能に連繋させたり，必要に応じて各種機能を付加していくことが可能である点は，引用例１や前述の特開２００３−１３２１５０号公報のほか，特開２００２−３２９１１１号公報や特開２００４−２２９９１３号公報等の記載にも照らし，当業者が予測しうる程度のものに過ぎず，格別顕著なものとはいえない。
　最後に，(4)に関し，生理的変動量等の電子情報を自動蓄積の上，必要な端末に送信可能に構成することは，引用例１や特開２００３−１３２１５０号公報に記載されており，運動処方データが医師の関与の下でこうした電子情報を基に更新しうる点は，引用例１及び引用例２や特開２００３−１３２１５０号公報等の記載に照らし，当業者が予測しうる程度のものに過ぎず，格別顕著なものとはいえない。
（なお，ここで挙げた文献はいずれも平成２１年２月１８日付け拒絶理由通知において列挙した文献である。）
　そうすると，請求人の主張する本願発明による効果は，いずれも，引用例１及び２に記載された発明並びに従来周知の事項から当業者が予測しうる程度のものに過ぎず，格別顕著なものとはいえないから，上記請求人の主張は採用することができない。
　
　また，平成２１年４月２８日に提出された上申書の内容を考慮しても，上記判断（特に，「４　対比・判断」における各相違点に対する判断，及び「５　付言」における請求人主張の本願発明による効果に対する判断参照。）のとおりであって，本願発明の解決しようとする課題（本願明細書【０００２】〜【００１１】参照。）が引用例１及び２に記載された発明並びに従来周知の事項に比して格別の異なるものであるともいえないから，請求人の主張は採用することができない。
　
６　結び
　以上のとおり，本願発明は，引用例１及び２に記載された発明並びに従来周知の事項に基づいて，当業者が容易に発明をすることができたものであり，特許法第２９条第２項の規定により特許を受けることができないものであるから，本願は，他の請求項に係る発明について検討するまでもなく，拒絶されるべきものである。
　
　よって，結論のとおり審決する。